(57)【要約】【課題】リトライ処理時間の増加を抑制し、起動時間を短縮することが可能な光ディスク装置を提供する。【解決手段】  再生ディスクにレーザ光を照射して検出した反射光に基づき複数のディスク種類の中からディスク種類を判別する種類判別部３２と、判別されたディスク種類に対応した設定値を用いてサーボ調整を行い、前記サーボ調整が成功したか判定する調整判定部３４と、過去にディスク種類の判別で第１ディスク種類と誤判別してサーボ調整に失敗した後にサーボ調整に成功したディスク種類を、第１ディスク種類の正解ディスク種類として記載した誤判別履歴を格納する外部メモリ８と、ディスク種類の判別で対象ディスクを第１ディスク種類と誤判別した場合、対象ディスクのディスク種類として、正解ディスク種類の中から誤判別履歴に記載された優先度に基づいて第２ディスク種類を指定する種類指定部３６とを備える。【選択図】図１
2012146375.tif 000002
【特許請求の範囲】
【請求項１】
再生ディスクにレーザ光を照射して検出した反射光に基づき３以上の複数のディスク種類の中からディスク種類を判別する種類判別部と、
前記種類判別部により判別されたディスク種類に対応した設定値を用いてサーボ調整を行い、前記サーボ調整が成功したか判定する調整判定部と、
過去に前記ディスク種類の判別で第１ディスク種類と誤判別して前記サーボ調整に失敗した後に前記サーボ調整に成功したディスク種類を、前記第１ディスク種類の正解ディスク種類として記載した誤判別履歴を格納する外部メモリと、
前記ディスク種類の判別で対象ディスクを前記第１ディスク種類と誤判別した場合、前記対象ディスクのディスク種類として、前記正解ディスク種類の中から前記誤判別履歴に記載された優先度に基づいて第２ディスク種類を指定する種類指定部
とを備えることを特徴とする光ディスク装置。
【請求項２】
前記第２ディスク種類による前記サーボ調整が失敗した場合、前記種類指定部は、前記正解ディスク種類の中から前記第２ディスク種類より優先度の低い第３ディスク種類を前記対象ディスクのディスク種類として指定することを特徴とする請求項１に記載の光ディスク装置。
【請求項３】
前記優先度が、前記誤判別履歴に前記正解ディスク種類として記載されたディスク種類の頻度の高い順番であることを特徴とする請求項２に記載の光ディスク装置。
【請求項４】
前記優先度が、前記誤判別履歴に前記正解ディスク種類として記載された時期の新しい順番であることを特徴とする請求項２に記載の光ディスク装置。
【請求項５】
前記調整判定部により前記サーボ調整が成功したと判定されたディスク種類を、前記第１ディスク種類の正解ディスク種類として書き込み、前記誤判別履歴を更新する履歴更新部を更に備えることを特徴とする請求項１〜４のいずれか１項に記載の光ディスク装置。
【請求項６】
再生ディスクにレーザ光を照射して検出した反射光に基づき３以上の複数のディスク種類の中から判別したディスク種類が誤判別でありサーボ調整に失敗した場合、新たに前記再生ディスクのディスク種類を指定する方法であって、
過去に前記ディスク種類の判別で第１ディスク種類と誤判別して前記サーボ調整に失敗した後にサーボ調整に成功したディスク種類を、前記第１ディスク種類の正解ディスク種類として記載した誤判別履歴を作成し、
前記ディスク種類の判別で対象ディスクを前記第１ディスク種類と誤判別した場合、前記対象ディスクのディスク種類として、前記正解ディスク種類の中から前記誤判別履歴に記載された優先度に基づいて第２ディスク種類を指定して前記サーボ調整を実施する
ことを含むことを特徴とするディスク種類判別方法。
【請求項７】
前記第２ディスク種類による前記サーボ調整が失敗した場合、前記正解ディスク種類の中から前記第２ディスク種類より優先度の低い第３ディスク種類を前記対象ディスクのディスク種類として指定し前記サーボ調整を実施することを特徴とする請求項６に記載のディスク種類判別方法。
【請求項８】
前記優先度が、前記誤判別履歴に前記正解ディスク種類として記載されたディスク種類の頻度の高い順番であることを特徴とする請求項７に記載のディスク種類判別方法。
【請求項９】
前記優先度が、前記誤判別履歴に前記正解ディスク種類として記載された時期の新しい順番であることを特徴とする請求項７に記載のディスク種類判別方法。
【請求項１０】
前記サーボ調整が成功したと判定されたディスク種類候補を、前記第１ディスク種類の正解ディスク種類として書き込み、前記誤判別履歴を更新することを更に含むことを特徴とする請求項６〜９のいずれか１項に記載のディスク種類判別方法。
【発明の詳細な説明】
【技術分野】
【０００１】
本発明は、光ディスク装置及びディスク種類判別方法に関する。
【背景技術】
【０００２】
記録メディアとして、コンパクトディスク（ＣＤ）、ＤＶＤ、ブルーレイディスク（登録商標、ＢＤ）等の複数種類の光ディスクが普及している。複数種類の光ディスクに対応することが可能な光ディスク装置が一般的に使用されている。このような光ディスク装置では、再生録音等の前に光ディスクのディスク種類を判別しなければならない。
【０００３】
光ディスク装置は、ディスクが挿入されると、発光部からレーザ光を照射する。ディスクからの反射光を測定し、反射光の光量等からディスク種類が判別される。判別されたディスク種類を起動ディスクタイプとして、サーボ調整が実施される。
【０００４】
ディスク種類の判別において、挿入された光ディスクの反射率が規格値から外れている場合やディスクに傷がついている場合、あるいは、ディスクの書き込み品質が悪い場合には、ディスク種類の判別を誤ることは避けられない。ディスク種類の判別が誤判別であった場合、サーボ調整が失敗となる。そして、別のディスク種類をディスク種類候補として指定して、再度サーボ調整を行うリトライ処理が実施される。
【０００５】
複数のメディア種類の中からディスク種類を判別する時間を短縮するため、メモリに記憶された一連の手順にしたがってディスク種類を判別し、判別結果に基づいて一連の手順の順番を変更する方法が提案されている（特許文献１参照）。しかし、特許文献１の方法では、判別を誤った場合のリトライ処理について考慮されていない。
【０００６】
リトライ処理として、ディスク種類とリトライ処理の順番とを任意に設定できる決め付け方式と、再生回数履歴に基づき再生頻度の高い順番にディスク種類を指定する履歴データ方式とのいずれかを選択することで、起動時間を短縮する方法が提案されている（特許文献２参照）。
【先行技術文献】
【特許文献】
【０００７】
【特許文献１】特開２００７−３３４９８５号公報
【特許文献２】特開２００６−１５５７３８号公報
【発明の概要】
【発明が解決しようとする課題】
【０００８】
しかしながら、特許文献２のリトライ処理において、ディスク種類とリトライ処理の順番とをユーザーが指定する方式は煩雑である。また、再生回数履歴に基づいてリトライ処理順を自動設定する方式も、判別を誤り易いディスクの再生頻度が高くなかった場合、そのディスクの起動時間は短縮することができない場合もある。
【０００９】
上記問題点を鑑み、本発明の目的は、リトライ処理時間の増加を抑制し、起動時間を短縮することが可能な光ディスク装置及びディスク種類判別方法を提供することにある。
【課題を解決するための手段】
【００１０】
本発明の第１の態様によれば、再生ディスクにレーザ光を照射して検出した反射光に基づき３以上の複数のディスク種類の中からディスク種類を判別する種類判別部と、種類判別部により判別されたディスク種類に対応した設定値を用いてサーボ調整を行い、サーボ調整が成功したか判定する調整判定部と、過去にディスク種類の判別で第１ディスク種類と誤判別してサーボ調整に失敗した後にサーボ調整に成功したディスク種類を、第１ディスク種類の正解ディスク種類として記載した誤判別履歴を格納する外部メモリと、ディスク種類の判別で対象ディスクを第１ディスク種類と誤判別した場合、対象ディスクのディスク種類として、正解ディスク種類の中から誤判別履歴に記載された優先度に基づいて第２ディスク種類を指定する種類指定部とを備える光ディスク装置が提供される。
【００１１】
本発明の第２の態様によれば、再生ディスクにレーザ光を照射して検出した反射光に基づき３以上の複数のディスク種類の中から判別したディスク種類が誤判別でありサーボ調整に失敗した場合、新たに再生ディスクのディスク種類を指定する方法であって、過去にディスク種類の判別で第１ディスク種類と誤判別してサーボ調整に失敗した後にサーボ調整に成功したディスク種類を、第１ディスク種類の正解ディスク種類として記載した誤判別履歴を作成し、ディスク種類の判別で対象ディスクを第１ディスク種類と誤判別した場合、対象ディスクのディスク種類として、正解ディスク種類の中から誤判別履歴に記載された優先度に基づいて第２ディスク種類を指定してサーボ調整を実施することを含むディスク種類判別方法が提供される。
【発明の効果】
【００１２】
本発明によれば、リトライ処理時間の増加を抑制し、起動時間を短縮することが可能な光ディスク装置及びディスク種類判別方法を提供することが可能となる。
【図面の簡単な説明】
【００１３】
【図１】本発明の実施の形態に係る光ディスク装置の一例を示す図である。
【図２】本発明の実施の形態に係るディスク種類判別方法の一例を示すフローチャートである。
【発明を実施するための形態】
【００１４】
以下図面を参照して、本発明の形態について説明する。以下の図面の記載において、同一または類似の部分には同一または類似の符号が付してある。但し、図面は模式的なものであり、装置やシステムの構成等は現実のものとは異なることに留意すべきである。したがって、具体的な構成は以下の説明を参酌して判断すべきものである。また図面相互間においても互いの構成等が異なる部分が含まれていることは勿論である。
【００１５】
又、以下に示す本発明の実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された技術的範囲内において、種々の変更を加えることができる。
【００１６】
本発明の実施の形態に係る光ディスク装置は、図１に示すように、光ピックアップ２、サーボ制御部３、スピンドル駆動モータ４、スレッド駆動モータ５、マイクロコンピュータ６、外部メモリ８を備える。光ピックアップ２は、対物レンズ１０、発光部１１、光検出部１６、アクチュエータ１８を備える。発光部１１は、第１発光部１２、第２発光部１３、第３発光部１４を備える。サーボ制御部３は、サーボ回路２０、スピンドル駆動回路２２、スレッド駆動回路２４、信号生成回路２６、アクチュエータ駆動回路２８を備える。マイクロコンピュータ６は、信号処理部３０、種類判別部３２、調整判定部３４、種類指定部３６、履歴更新部３８、カウンタ４０、内部メモリ４２を備える。
【００１７】
光ピックアップ２の発光部１１は、光ディスク１にレーザ光を照射する。発光部１１の第１〜第３発光部１２、１３、１４は、光ディスク１の種類に応じて選択される。例えば、第１〜第３発光部１２、１３、１４は、それぞれＢＤ、ＤＶＤ、及びＣＤに対応するレーザ光を発光する。対物レンズ１０は、発光部１１から放射されたレーザ光を光ディスク１の焦点位置ＦＰに合焦させる。光検出部１６は、光ディスク１から反射されたレーザ光を検出し、電気信号に変換する。アクチュエータ１８は、対物レンズ１０を光ディスク１のフォーカス方向及びトラッキング方向に変位させる。
【００１８】
サーボ制御部３の信号生成回路２６は、光検出部１６から電気信号を取得して、フォーカス誤差信号、トラッキング誤差信号、再生信号等を生成する。サーボ回路２０は、フォーカス誤差信号、トラッキング誤差信号を取得して位相補償等の処理を行い、アクチュエータ駆動信号やスレッド制御信号を生成する。また、サーボ回路２０は、光ディスク装置に挿入された光ディスク１のディスク種類に応じて、スピンドル制御信号、レーザ選択信号等を出力する。
【００１９】
スピンドル駆動回路２２は、スピンドル制御信号に基づきスピンドル駆動モータ４を制御し、光ディスク１を所定の回転速度で回転させる。スレッド駆動回路２４は、スレッド制御信号に基づきスレッド駆動モータ５を制御し、光ディスク１の任意の半径位置にアクセスできるように光ピックアップ２を光ディスク１の半径方向に移送する。アクチュエータ駆動回路２８は、アクチュエータ駆動信号に基づきアクチュエータ１８を駆動する。
【００２０】
マイクロコンピュータ６は、信号生成回路２６から再生信号を取得して、光ディスク１のディスク種類を判別し、光ディスク１の再生を行う。光ディスク１が光ディスク装置に挿入されると、第１〜第３発光部１２、１３、１４の内の幾つかを順に用いて光ディスク１にレーザ光が照射される。光ディスク１からの反射光が光検出部１６により検出される。反射光強度に応じた振幅の再生信号が信号生成回路２６により生成される。
【００２１】
マイクロコンピュータ６の信号処理部３０は、信号生成回路２６で生成された再生信号を処理して、反射光の強度に対応する振幅を取得する。種類判別部３２は、再生信号の振幅に基づいて光ディスク１のディスク種類を判別し、判別したディスク種類に応じた回路設定値をサーボ回路２０に送信する。発光部１１やアクチュエータ駆動回路２８等を用いてサーボ回路２０によりサーボ調整が実施される。調整判定部３４は、サーボ調整が成功したかどうか判定する。サーボ調整が成功したことが確認されると、光ディスク１から、再生に必要なディスク情報等が読み込まれる。このようにして、光ディスク１の再生の準備が整った後、マイクロコンピュータ６により再生信号の復調等が行われ、光ディスク１が再生される。
【００２２】
光ディスク１の状態がよい場合は、問題なくディスク種類の判別ができる。しかし、光ディスク１の反射率が規格から外れている場合や傷がついている場合、あるいは書き込み品質が悪い場合等においては、ディスク種類が誤判別されることが避けられない。誤判別の場合、他のディスク種類を指定してサーボ調整をさせる、いわゆるリトライ処理が実施される。
【００２３】
過去に再生ディスクをＢＤ（第１ディスク種類）と誤判別してリトライ処理によりサーボ調整に成功した正解ディスク種類、及び優先度として各正解ディスク種類の頻度等をＢＤの誤判別履歴とする。光ディスク１をＢＤと誤判別した場合、マイクロコンピュータ６の種類指定部３６は、誤判別履歴に記載された正解ディスク種類の中から最も頻度の高いディスク種類、例えばＤＶＤ（第２ディスク種類）を指定する。ＤＶＤの回路設定値がサーボ回路２０に送信され、サーボ回路２０では受信した設定値を用いてサーボ調整が実施される。リトライ処理でサーボ調整が失敗した場合、種類指定部３６は、正解ディスク種類の中からＤＶＤよりも頻度が低いディスク種類、例えばＣＤ（第３ディスク種類）を指定する。ＣＤの回路設定値がサーボ回路２０に送信され、サーボ回路２０では受信した設定値を用いて再度サーボ調整が実施される。リトライ処理でサーボ調整が成功した場合、履歴更新部３８は、誤判別履歴にサーボ調整が成功したディスク種類を書き込んで誤判別履歴を更新する。なお、カウンタ４０は、ディスク種類の指定回数、即ちリトライ処理回数をカウントする。リトライ処理回数が規定値を超えた場合は、起動失敗と判定される。
【００２４】
マイクロコンピュータ６は、通常の中央処理装置（ＣＰＵ）を含むが、信号処理部３０、種類判別部３２、調整判定部３４、種類市指定部３６、及び履歴更新部３８は、それぞれ専用のハードウェアで構成しても良く、ＣＰＵを用いて、ソフトウェアで実質的に等価な機能を有していても構わない。  
外部メモリ８は、不揮発性メモリを含み、誤判別履歴、各ディスク種類に対する回路設定値、リトライ処理回数の規定値、あるいはディスク種類判別処理等をマイクロコンピュータ６に実行させるためのプログラムを保存している。また、マイクロコンピュータ６の内部メモリ４２又は外部メモリ８の一部は、マイクロコンピュータ６におけるディスク種類判別処理の演算において、演算途中や処理途中のデータを一時的に保存する。
【００２５】
実施の形態に係る光ディスク装置では、使用環境における誤判別の履歴に基づいてディスク種類を指定してリトライ処理が実施される。そのため、リトライ処理でディスク種類を誤る可能性が低減する。その結果、誤判別しやすい光ディスクであっても、起動時間が増大することを抑制することができる。
【００２６】
なお、上述の説明では、ディスク種類指定の優先度として、正解ディスク種類の頻度を用いている。しかし、優先度として、各正解ディスク種類の確認された時期を用いてもよい。この場合、誤判別履歴には、各正解ディスク種類の確認時期を記載すればよい。
【００２７】
また、ディスク種類として、ＣＤ、ＤＶＤ、及びＢＤの３種類を用いて説明したが、ディスク種類の数は限定されない。ＣＤ、ＤＶＤ、及びＢＤのそれぞれに含まれる細分化された複数のディスク種類を加えてもよい。例えば、ＢＤとして分類されるＢＤ−ＲＯＭ、ＢＤ−Ｒ、ＢＤ−ＲＥ等をそれぞれディスク種類として設定してもよい。
【００２８】
次に、実施の形態に係るディスク種類判別方法を、図２に示すフローチャートを用いて説明する。過去に再生ディスクをＢＤ（第１ディスク種類）と誤判別してサーボ調整に失敗し、リトライ処理で指定してサーボ調整に成功した正解ディスク種類の中でＤＶＤの頻度が最も高かったとする。
【００２９】
ステップＳ１００で、光ディスク装置に対象ディスクを挿入する。ステップＳ１０１で、光ピックアップ２の発光部１１から照射されたレーザ光の反射光が光検出部１６で検出され電気信号に変換される。信号生成回路２６により電気信号から再生信号が生成される。再生信号をマイクロコンピュータ６の信号処理部３０により処理して取得した再生信号の振幅に基づいて、種類判別部３２により対象ディスクのディスク種類が、例えばＢＤと判別される。次に、外部メモリ８に格納されたＢＤの回路設定値が種類判別部３２よりサーボ回路２０に送信される。
【００３０】
ステップＳ１０２で、カウンタ４０のカウントｉ＝０とする。ステップＳ１０３では、ステップＳ１０１で種類判別部３２から受信した回路設定値を用いてサーボ回路２０によりサーボ調整が実施される。ステップＳ１０４で、調整判定部３４により、サーボ調整が成功したかどうか判定される。サーボ調整が失敗と判定された場合、ステップＳ１１０で、カウンタ４０のカウントｉがリトライ処理の規定値Ｎｒを超えていないか確認される。カウントｉ＞Ｎｒであれば、起動失敗とする。
【００３１】
カウントｉが規定値Ｎｒ以下であれば、ステップＳ１１１で、外部メモリ８から誤判別履歴が種類指定部３６により読み出され、ＢＤに対する正解ディスク種類の中から、最も頻度の高いディスク種類、例えばＤＶＤが指定される。次に、外部メモリ８に格納されたＤＶＤの回路設定値が種類判別部３２よりサーボ回路２０に送信される。ステップＳ１１２で、カウンタ４０のカウントｉ＝１として、ステップＳ１０３に戻り、ステップＳ１０３では、ステップＳ１１１で種類判別部３２から受信した回路設定値を用いてサーボ回路２０によりサーボ調整が再度実施される。
【００３２】
ステップＳ１０４でサーボ調整が成功したと確認された場合、ステップＳ１０５で、カウンタ４０のカウントｉが１以上であるか確認される。カウントｉが０であれば、起動完了し、対象ディスクの再生が行われる。
【００３３】
ステップＳ１０５で、カウントｉが１以上の場合、ステップＳ１０７で、履歴更新部３８により、ＢＤの誤判別履歴に、正解ディスク種類としてのＤＶＤの頻度を書き換えて更新する。
【００３４】
本実施の形態では、ディスク種類に対応する回路設定値は外部メモリ８に格納されており、ディスク種類に対応した回路設定値を種類判別部３２がサーボ回路２０に送信する構成としたが、これに限らず、数種類の回路設定値をサーボ回路２０内に記憶しておき、種類判別部３２から送られたディスク種類情報を元にサーボ回路が回路設定をする構成としても良い。
【００３５】
実施の形態に係るディスク種類判別方法では、使用環境における誤判別の履歴に基づいてディスク種類を指定してリトライ処理が実施される。そのため、リトライ処理でディスク種類を誤る可能性が低減する。その結果、誤判別しやすい光ディスクであっても、起動時間が増大することを抑制することができる。
【００３６】
（その他の実施の形態）
上記のように、本発明の実施の形態を記載したが、この開示の一部をなす論述及び図面はこの発明を限定するものであると理解すべきではない。この開示から当業者にはさまざまな代替実施の形態、実施例及び運用技術が明らかとなろう。したがって、本発明の技術的範囲は上記の説明から妥当な特許請求の範囲に係わる発明特定事項によってのみ定められるものである。
【符号の説明】
【００３７】
１…光ディスク
２…光ピックアップ
３…サーボ制御部
４…スピンドル駆動モータ
５…スレッド駆動モータ
６…マイクロコンピュータ
８…外部メモリ
１０…対物レンズ
１１…発光部
１２…第１発光部
１３…第２発光部
１４…第３発光部
１６…光検出部
１８…アクチュエータ
２０…サーボ回路
２２…スピンドル駆動回路
２４…スレッド駆動回路
２６…信号生成回路
２８…アクチュエータ駆動回路
３０…信号処理部
３２…種類判別部
３４…調整判定部
３６…種類指定部
３８…履歴更新部
４０…カウンタ
４２…内部メモリ
【図１】
2012146375.tif 000003
【図２】
2012146375.tif 000004